(57)【特許請求の範囲】
【請求項１】
映像情報を記録した記録媒体に記録された、映像情報に対する各編集点の静止画像である複数の指標画像を縮小化して１フレーム中に配列した指標画像情報を修正する指標画像情報修正手順と、
修正された後の指標画像情報を、前記記録媒体に記録する指標画像情報記録手順と
を含み、
前記指標画像情報修正手順は、映像情報に対する編集点の変更または追加が行われた際に、前記指標画像情報の修正として、その変更または追加に応じた指標画像の作成と指標画像の再配置を行う
ことを特徴とする指標画像情報修正方法。
【請求項２】
前記指標画像情報修正手順は、前記記録媒体に記録された修正前の指標画像情報を取り込み、この取り込んだ指標画像情報に対して前記修正を行うことを特徴とする請求項１記載の指標画像情報修正方法。
【請求項３】
前記指標画像情報修正手順は、前記記録媒体とその記録媒体に付随するメモリの少なくとも一方に記録された、映像情報に対する編集を行う際の指標となる編集点の情報を示す指標情報に基づいて、前記記録媒体に記録された映像情報から各編集点の各指標画像を取り込み、その各指標画像を縮小化して１フレーム中に配列することで修正前の指標画像情報を作成し、この作成した指標画像情報に対して前記修正を行うことを特徴とする請求項１記載の指標画像情報修正方法。
【請求項４】
前記指標画像情報記録手順は、修正後の指標画像情報を、修正前の指標画像情報とは別に前記記録媒体に記録することを特徴とする請求項１記載の指標画像情報修正方法。
【請求項５】
前記指標画像情報記録手順は、修正後の指標画像情報を、前記記録媒体において修正前の指標画像情報が記録されていた箇所に重ね書きすることを特徴とする請求項１記載の指標画像情報修正方法。
【請求項６】
映像情報を記録した記録媒体に記録された、映像情報に対する各編集点の静止画像である複数の指標画像を縮小化して１フレーム中に配列した指標画像情報を修正する指標画像情報修正手段と、
この指標画像情報修正手段によって修正された後の指標画像情報を、前記記録媒体に記録する指標画像情報記録手段と
を備え、
前記指標画像情報修正手段は、映像情報に対する編集点の変更または追加が行われた際に、前記指標画像情報の修正として、その変更または追加に応じた指標画像の作成と指標画像の再配置を行う
ことを特徴とする指標画像情報修正装置。
【請求項７】
前記指標画像情報修正手段は、前記記録媒体に記録された修正前の指標画像情報を取り込み、この取り込んだ指標画像情報に対して前記修正を行うことを特徴とする請求項６記載の指標画像情報修正装置。
【請求項８】
前記指標画像情報修正手段は、前記記録媒体とその記録媒体に付随するメモリの少なくとも一方に記録された、映像情報に対する編集を行う際の指標となる編集点の情報を示す指標情報に基づいて、前記記録媒体に記録された映像情報から各編集点の各指標画像を取り込み、その各指標画像を縮小化して１フレーム中に配列することで修正前の指標画像情報を作成し、この作成した指標画像情報に対して前記修正を行うことを特徴とする請求項６記載の指標画像情報修正装置。
【請求項９】
前記指標画像情報記録手段は、修正後の指標画像情報を、修正前の指標画像情報とは別に前記記録媒体に記録することを特徴とする請求項６記載の指標画像情報修正装置。
【請求項１０】
前記指標画像情報記録手段は、修正後の指標画像情報を、前記記録媒体において修正前の指標画像情報が記録されていた箇所に重ね書きすることを特徴とする請求項６記載の指標画像情報修正装置。
【発明の詳細な説明】
【０００１】
【発明の属する技術分野】
本発明は、ビデオテープ等の記録媒体に記録された映像情報に対する編集を行う際の補助となる指標画像情報を修正する指標画像情報修正方法および装置に関する。
【０００２】
【従来の技術】
従来より、ビデオテープ等の記録媒体に記録された映像情報を編集する方法の一つとしてオフライン編集がある。オフライン編集は、撮影現場においてオリジナルテープに記録した映像情報を一旦、別の記録テープすなわち編集用テープにコピーし、この編集用テープ上で編集点等の編集データを作成し、この編集データに基づいてマスタテープを作成する方法である。このオフライン編集では、大切なオリジナルテープ上の記録情報を誤って消去したり、書き換えることなく、所望のマスタテープを作成することができる。
【０００３】
しかし、オフライン編集では、オリジナルテープをコピーした編集用テープを使って編集作業を行うので、オリジナルテープ上の情報を編集用テープにコピーする際に時間や手間がかかるという問題がある。また、編集用テープを用いて編集データを作成する際には、予めテープの助走期間を確保するために、プリロールが必要不可欠になり、更に目的とする編集点までのアクセスに時間がかかることから、編集データの作成に非常に時間がかかることが避けられないという問題があった。
【０００４】
そこで、上述のような問題を解決する方法の一つとして、オリジナルテープ上の情報を、ハードディスク等の記録可能で且つランダムアクセス可能なディスク状記録媒体に一旦コピーし、このディスク状記録媒体上のコピー情報を用いて編集データを作成する方法がある。この方法によれば、編集点に短時間にアクセスすることができることから、編集作業に要する時間を短縮化することが可能となる。
【０００５】
ところが、この方法では、オリジナルテープ上の全情報をディスク状記録媒体に記録するためには、ディスク状記録媒体としてかなりの記録容量が必要となり、この記録容量を満たすディスク状記録媒体は実際上実現が難しいという問題がある。また、ディスク状記録媒体を用いた場合でも、オリジナルテープからディスク状記録媒体へのコピーには、編集用テープを用いた場合と同様にかなりの時間がかかることが避けられないという問題がある。
【０００６】
そこで、本出願人は、編集作業を大幅に効率化する方法として、撮影時に、各シーンの頭の画像（静止画）を圧縮，縮小化して小画面を作成し、この小画面を１枚のフレーム中に複数個配列してなる指標画像情報をビデオテープに記録する方法を提案している。この方法によれば、編集時には、指標画像情報を再生して表示させて、必要なシーンを選択し、必要なシーンの情報だけをビデオテープからディスク状記録媒体に転送することが可能となり、これにより、編集作業に要する時間を大幅に短縮することが可能となる。
【０００７】
【発明が解決しようとする課題】
しかしながら、必ず各シーンの頭の画像から小画面を作成するようにした場合には、作成される小画面が必ずしも編集に役立つ画像ではない場合があり、そのため、編集作業の効率化を十分に図ることができない場合があるという不具合がある。
【０００８】
また、撮影時に小画面を作成するには、撮影時にビデオカメラと共に使用されるＶＴＲ（ビデオテープレコーダ）において画像を圧縮するための特別なハードウェアが必要となり、撮影時に指標画像情報を作成する機能を有する機器は、ディジタルＶＴＲが業務用途に出荷されるまでは一般的ではなかった。そのため、撮影時に指標画像情報を作成する機能を有しない機器も存在する。また、低価格化等のために、撮影時に指標画像情報を作成する機能を有しない機器を提供したい場合もある。当然のことながら、撮影時に指標画像情報を作成する機能を有しない機器では、ビデオテープに対して指標画像情報を記録することができず、そのため、指標画像情報を用いた編集作業の効率化を図ることができないという問題点がある。
【０００９】
そこで、本出願人は、撮影時（映像信号の記録時）や再生時に指定されたマークイン点，マークアウト点，キュー点等、編集を行う際の指標となる点の情報を、ビデオテープやカセット内のメモリに記録しておき、後で、その指標情報に基づいてマークイン点やキュー点等の画像を再生して指標画像情報を作成するという方法を提案している。この方法によれば、撮影時に指標画像情報が作成されていなくとも、後で、指標画像情報を作成して記録媒体に記録することが可能になり、指標画像情報を用いた編集作業の効率化を図ることができる。しかしながら、この場合でも、撮影時等において初めに指定されたマークイン点等が、後で不適切と判断される場合もあり、そのような場合には、初めに指定されたマークイン点等や、それに基づいて作成される指標画像情報が必ずしも編集に役立たなくなる場合があるという不具合がある。
【００１０】
本発明はかかる問題点に鑑みてなされたもので、その目的は、映像情報を記録した記録媒体に記録された、映像情報に対する編集を行う際の補助となる指標画像を簡易に表示するための指標画像情報を修正できるようして、編集作業の効率化を図ることができるようにした指標画像情報修正装置を提供することにある。
【００１１】
【課題を解決するための手段】
本発明の指標画像情報修正方法は、映像情報を記録した記録媒体に記録された、映像情報に対する各編集点の静止画像である複数の指標画像を縮小化して１フレーム中に配列した指標画像情報を修正する指標画像情報修正手順と、修正された後の指標画像情報を、記録媒体に記録する指標画像情報記録手順とを含み、指標画像情報修正手順において、映像情報に対する編集点の変更または追加が行われた際に、指標画像情報の修正として、その変更または追加に応じた指標画像の作成と指標画像の再配置を行うようにしたものである。
【００１２】
本発明の指標画像情報修正装置は、映像情報を記録した記録媒体に記録された、映像情報に対する各編集点の静止画像である複数の指標画像を縮小化して１フレーム中に配列した指標画像情報を修正する指標画像情報修正手段と、この指標画像情報修正手段によって修正された後の指標画像情報を、記録媒体に記録する指標画像情報記録手段とを備え、指標画像情報修正手段が、映像情報に対する編集点の変更または追加が行われた際に、指標画像情報の修正として、その変更または追加に応じた指標画像の作成と指標画像の再配置を行うようにしたものである。
【００１３】
本発明の指標画像情報修正方法または本発明の指標画像情報修正装置では、映像情報を記録した記録媒体に記録された指標画像情報が修正され、修正された後の指標画像情報が記録媒体に記録される。
【００１４】
【発明の実施の形態】
以下、本発明の一実施の形態について図面を参照して詳細に説明する。
【００１５】
始めに、図１を参照して、本実施の形態に係る指標画像情報修正方法および装置が適用されるシステム全体の構成について説明する。このシステムは、ディジタルビデオカメラ部とこのディジタルビデオカメラ部で撮影して得られた映像信号をディジタル信号としてディジタルビデオカセット１２内のビデオテープに記録するディジタルＶＴＲ部とを有するカメラ・レコーダ１１と、ディジタルビデオカセット１２内のビデオテープに記録された映像信号の再生等を行うディジタルビデオカセットレコーダ１３と、このディジタルビデオカセットレコーダ１３からの情報（映像信号と後述する指標情報および付加情報）を用いてノンリニア編集を行う編集装置１４とを備えている。カメラ・レコーダ１１におけるディジタルビデオカメラ部とディジタルＶＴＲ部は、一体化されていても良いし分離可能であっても良い。ディジタルビデオカセット１２は、例えば６．３ｍｍ（１／４インチ）のビデオテープを使用していると共に、カセット内に半導体メモリを用いたカセット付属メモリを内蔵し、且つカセットの例えば背の部分にカセット付属メモリと外部の回路との接続のための端子１５を有している。図１に示したディジタルビデオカセットレコーダ１３が本実施の形態に係る指標画像情報修正装置に相当する。
【００１６】
図２は、図１に示したカメラ・レコーダ１１におけるディジタルＶＴＲ部の構成を示すブロック図である。このディジタルＶＴＲ部２０は、ディジタルビデオカメラ部からの映像信号を入力する入力端子２１と、映像信号を出力する出力端子２９と、入力端子２１から入力された映像信号をアナログ−ディジタル（以下、Ａ／Ｄと記す。）変換するＡ／Ｄ変換器２２と、このＡ／Ｄ変換器２２から出力される映像信号の圧縮符号化およびビデオテープから再生した信号の復号化（伸張）処理を行う映像信号圧縮符号化・復号化部２３と、この映像信号圧縮符号化・復号化部２３によって復号化された信号をディジタル−アナログ（以下、Ｄ／Ａと記す。）変換して、出力端子２９に出力するＤ／Ａ変換器２８とを備えている。なお、映像信号圧縮符号化・復号化部２３は、離散コサイン変換（以下、ＤＣＴと記す。）を用いて圧縮符号化処理を行うようになっている。
【００１７】
ディジタルＶＴＲ部２０は、更に、映像信号圧縮符号化・復号化部２３によって圧縮符号化された信号に対してエラー訂正コードの付加を行うと共にビデオテープから再生した信号に対してエラー訂正処理を行って映像信号圧縮符号化・復号化部２３に出力するエラー訂正処理部２４と、このエラー訂正処理部２４によってエラー訂正コードが付加された信号に対してビデオテープに記録するのに適した符号化処理を行うと共に、この符号化処理に対応する復号化処理を、ビデオテープから再生した信号に対して行ってエラー訂正処理部２４に出力するチャネルコーディング部２５と、このチャネルコーディング部２５によって符号化された信号を、ディジタルビデオカセット１２内のビデオテープ２７に記録すると共にビデオテープ２７に記録された信号を再生しチャネルコーディング部２５に出力するビデオヘッド２６とを備えている。なお、ビデオヘッド２６は、記録ヘッドと再生ヘッドとを含み、記録と再生を同時に行うことができるようになっている。
【００１８】
ディジタルＶＴＲ部２０は、更に、ディジタルビデオカセット１２のローディングやビデオヘッド２６が取り付けられた回転ドラムの駆動等を行う機構部３１と、各種の表示を行うディスプレイ３２と、使用者が各種の操作を行うための操作部３３と、ディジタルビデオカセット１２においてカセット付属メモリ１６に接続された端子１５との接続のための端子３４と、映像信号圧縮符号化・復号化部２３，エラー訂正処理部２４，チャネルコーディング部２５，機構部３１，ディスプレイ３２，操作部３３および端子３４に接続されたコントローラ３５とを備えている。
【００１９】
操作部３３は、所定の指示を行うための複数のスイッチを有している。本実施の形態では、このスイッチとしては、各シーンまたはテイクにおける有効領域の開始点すなわちマークイン点を指示するためのマークインスイッチ，各シーンまたはテイクにおける有効領域の終了点すなわちマークアウト点を指示するためのマークアウトスイッチ，各シーンまたはテイクに対するＯＫ（オーケー）またはＮＧ（エヌジー；Ｎｏ  ｇｏｏｄ）を指示するためのＯＫ／ＮＧスイッチ，テイク番号を指示するためのテイクスイッチ，使用者が任意に指定する指標となるキュー点を指示するためのキュースイッチおよび後述するマークモード，キューモードおよびマークインアウトモードを切り換えるためのモード切り換えスイッチを含んでいる。ＯＫ／ＮＧスイッチは、押す度にＯＫ指示状態とＮＧ指示状態とが切り換わるようになっている。テイク番号は、テイクスイッチを押す度にインクリメントするようになっている。なお、シーン番号を指示するためのスイッチは設けられていないが、これは、シーン番号はシーン毎に自動的にインクリメントされるようになっているためである。マークモードは、使用者がマークインスイッチ，マークアウトスイッチを用いてマークイン点，マークアウト点を任意に指示することを可能とするモードであり、キューモードは、使用者がキュースイッチを用いてキュー点を任意に指示することを可能とするモードであり、マークインアウトモードは、各シーンの撮影開始時，撮影終了時が自動的にマークイン点，マークアウト点として設定されるモードである。操作部３３は、カメラ・レコーダ１１に一体的に設けられていても良いし、リモートコントロール装置となっていても良い。また、マークイン点は、編集で使われる素材のイン点として使われるようになっている。
【００２０】
コントローラ３５は、ＣＰＵ（中央処理装置），ＲＯＭ（リード・オンリ・メモリ），ＲＡＭ（ランダム・アクセス・メモリ），入出力部等で構成され、ＲＡＭをワーキングエリアとして、ＲＯＭに格納されたプログラムを実行することによって、タイムコード信号に基づいて、ディジタルＶＴＲ部２０の全体の制御を行うようになっている。
【００２１】
図３は、図１に示したディジタルビデオカセットレコーダ１３の構成を示すブロック図である。このディジタルビデオカセットレコーダ１３の構成の大部分は、図２に示したディジタルＶＴＲ部２０の構成と同様であるので、このディジタルＶＴＲ部２０と同様の構成要素については同じ符号を付し、その説明を省略する。ディジタルビデオカセットレコーダ１３の構成において、ディジタルＶＴＲ部２０と異なる点は、新たに、インデックス作成部４０と、このインデックス作成部４０の出力信号とＡ／Ｄ変換器２２の出力信号の一方を選択して映像信号圧縮符号化・復号化部２３に出力するスイッチ３９とを備えていると共に、操作部３３にインデックスピクチャ情報の作成を指示する機能が付加されている点である。インデックス作成部４０には、映像信号圧縮符号化・復号化部２３からＤ／Ａ変換器２８に出力される信号が入力されるようになっている。また、インデックス作成部４０は、コントローラ３５によって制御されると共に、映像信号圧縮符号化・復号化部２３との間で、後述する所定のデータの送受を行うようになっている。また、インデックス作成部４０は、インデックス用メモリ４１と図示しないメモリコントローラとを有している。メモリコントローラは、ＣＰＵを含み、インデックス用メモリ４１を制御するようになっている。
【００２２】
図３におけるコントローラ３５およびインデックス作成部４０は、後で詳しく説明するように、マークイン点，マークアウト点，ＯＫ／ＮＧ，テイク番号，キュー点，シーン番号の情報に基づいて、ビデオテープ２７に記録されている映像情報から、編集を行う際の補助となる指標画像としてのインデックスピクチャを選択し、このインデックスピクチャを簡易に表示するためのインデックスピクチャ情報を作成し、このインデックスピクチャ情報をビデオテープ２７に記録する動作を行うようになっている。本実施の形態において、インデックスピクチャ情報は、複数のインデックスピクチャをそれぞれ圧縮，縮小化して１枚のフレーム中に複数個配列してなる画像、言い換えると圧縮，縮小化されたインデックスピクチャの集合画面の画像情報である。
【００２３】
本実施の形態では、図２に示したディジタルＶＴＲ部２０によって映像情報をビデオテープ２７に記録する際や、このビデオテープ２７に記録された映像情報をディジタルＶＴＲ部２０や図３に示したディジタルビデオカセットレコーダ１３によって再生する際に、操作部３３を用いてマークイン点，マークアウト点，ＯＫ／ＮＧ，テイク番号，キュー点を指示することができ、これらの指示された情報とシーン番号の情報は、ディジタルビデオカセット１２におけるカセット付属メモリ１６とビデオテープ２７とに記録されるようになっている。ここで、マークイン点，マークアウト点，キュー点の情報は本発明における指標情報に対応し、ＯＫ／ＮＧ，テイク番号，シーン番号の情報は本発明における付加情報に対応する。
【００２４】
ここで、図４ないし図７を参照して、ディジタルビデオカセット１２におけるカセット付属メモリ１６とディジタルＶＴＲ部２０またはディジタルビデオカセットレコーダ１３（以下、ディジタルＶＴＲ部２０またはディジタルビデオカセットレコーダ１３を本体３０と記す。）との間の通信の手段の一例について説明する。
【００２５】
図４は、ディジタルビデオカセット１２側の端子１５および本体３０側の端子３４の構成と本体３０側のインタフェースの構成の一例を示したものである。この例では、端子１５，３４は、それぞれ４ピンで構成され、内訳は、電源（ＶＣＣ）用ピン、シリアルデータ（Ｓ−ＤＡＴＡ）用ピン、シリアルクロック（Ｓ−ＣＬＯＣＫ）用ピンおよびグラウンド（ＧＮＤ）用ピンであり、対応するピン同士が接続されるようになっている。電源およびシリアルクロックは本体３０より供給するようになっている。グラウンド用ピンは本体３０側で接地されるようになっている。シリアルデータ用ピンは入出力共用になっている。本体３０側のインタフェースは、入力端がシリアルデータ用ピンに接続された波形整形用の入力用バッファ３６と、出力端がシリアルデータ用ピンに接続された波形整形用の出力用バッファ３７と、出力端がシリアルクロック用ピンに接続されたシリアルクロック用バッファ３８と、一端が電源用ピンに接続され、他端が本体３０内の電源回路に接続されたスイッチ３９とを備えている。本体３０は、このスイッチ３９を用いて、ディジタルビデオカセット１２に供給する電源のオン，オフをコントロール機能を有し、この機能はカセット付属メモリ１６のリセットとして機能する。
【００２６】
次に、図５および図６を参照して、本体３０からカセット付属メモリ１６へデータを書き込む際の通信のプロトコルについて説明する。書き込み時のプロトコルでは、図５に示したように、通信は、シリアルクロックＳ−ＣＬＯＣＫが“Ｈ”のときに、シリアルデータＳ−ＤＡＴＡの立ち下がりでスタートする。その後、３バイトのアドレスがセットされ、更に、本体３０からカセット付属メモリ１６へのデータの書き込み（データライト）を示す周期（シリアルクロックＳ−ＣＬＯＣＫが“Ｈ”のときに、シリアルデータＳ−ＤＡＴＡが“Ｌ”）が続く。カセット付属メモリ１６は、ここまでのデータを受け取った時点で、次のデータＡＣＫの周期で、シリアルデータＳ−ＤＡＴＡに“Ｌ”を出力する。その後は、１バイト毎に、データＡＣＫとデータでハンドシェイクしながらデータをカセット付属メモリ１６に書き込む。アドレスセット後のデータ数は可変長である。図５では、３バイトのアドレスをセットした後、データを２バイト分書き込んだ例を示している。例えば、セットしたアドレスが０１００ｈ（ｈは１６進数であることを表す。）、データが０ＡＡｈと０５５ｈであるとすると、アドレス０１００ｈにデータ０ＡＡｈが書き込まれ、アドレス０１０１ｈにデータ０５５ｈが書き込まれる。通信は、シリアルクロックＳ−ＣＬＯＣＫが“Ｈ”のときに、シリアルデータＳ−ＤＡＴＡの立ち上がりで終了する。データの有効期間は、シリアルクロックＳ−ＣＬＯＣＫの“Ｈ”期間である。アドレスセットおよびデータについての、シリアルデータＳ−ＤＡＴＡとシリアルクロックＳ−ＣＬＯＣＫとの関係を図６に示す。この図に示したように、１バイトのアドレスまたはデータの転送に８クロックが必要となる。
【００２７】
次に、図７を参照して、カセット付属メモリ１６から本体３０へデータを読み出す際の通信のプロトコルについて説明する。読み出し時のプロトコルは、図５に示した書き込み時と比較すると、アドレスセット後に、データライトを示す周期の代わりに、カセット付属メモリ１６から本体３０へのデータの読み出し（データリード）を示す周期（シリアルクロックＳ−ＣＬＯＣＫが“Ｈ”のときに、シリアルデータＳ−ＤＡＴＡが“Ｈ”）が続くという点以外は、基本的に読み出し時のプロトコルと同様である。
【００２８】
次に、図８ないし図１７を参照して、カセット付属メモリ１６に記録されるデータについて説明する。まず、図８は、カセット付属メモリ１６に記録されるデータの単位であるパックの構造を示したものである。このパックは、５バイトで構成され、１バイトのパックヘッダ５１と４バイトのデータ部５２とを有している。パックヘッダ５１の内容は、コマンドの種類によって異なる。なお、図中、ＬＳＢは最下位ビット、ＭＳＢは最上位ビットを表している。
【００２９】
図９は、カセット付属メモリ１６のデータフォーマットを示したものである。このデータフォーマットは、メインエリア５３とオプションエリア５４とを有している。メインエリア５３の内容は、本発明には直接的には関係しないので、説明を省略する。なお、図９に示したフォーマットは、“６．３ｍｍ磁気テープを用いた一般消費者用ディジタルＶＣＲの規格書”（“Ｓｐｅｃｉｆｉｃａｔｉｏｎｓ  ｏｆ  Ｃｏｎｓｕｍｅｒ−Ｕｓｅ  Ｄｉｇｉｔａｌ  ＶＣＲｓ  ｕｓｉｎｇ  ６．３ｍｍ  ｍａｇｎｅｔｉｃ  ｔａｐｅ”、通称ブルーブック）に規定されている。
【００３０】
インデックスピクチャに関連するパックは、オプションエリア５４に記録される。本実施の形態では、インデックスピクチャに関連するパックとして、マークイン，マークアウト等の情報に関するパックＩＰn1，ＩＰn2（ｎ＝１，２，…；ｎはシーンまたはテイクの切り換わりに従ってインクリメントする。）と、キュー点の情報に関するパックＣＵＥn （ｎ＝１，２，…；ｎはキュー点が指定される毎にインクリメントする。）と、インデックスピクチャの集合画像の情報であるインデックスピクチャ情報のビデオテープ２７上の記録位置を特定するための情報に関するパックＩＰadd1，ＩＰadd2を規定している。なお、本実施の形態では、インデックスピクチャに関連するパックのパックヘッダの内容を、ＦＢｈとしている。
【００３１】
図１０はパックＩＰn1の内容の概略を示したものである。このパックＩＰn1では、データ部５２に、マークアウト点相対値の上位１バイト、シーン番号およびＯＫ／ＮＧを示すフラグ（図１０では“ＯＫ”と記す。）が記録されるようになっている。図１１はパックＩＰn2の内容の概略を示したものである。このパックＩＰn2では、データ部５２に、マークアウト点相対値の下位１バイトおよびマークイン点のタイムコード（時，分，秒）が記録されるようになっている。なお、タイムコードは、ビデオテープ２７に記録されたビデオテープ２７の位置情報である。
【００３２】
マークアウト点相対値は、マークアウト点のマークイン点からのタイムコードの相対値を表すもので、パックＩＰn1における上位１バイトとパックＩＰn2における下位１バイトの合計２バイトで表すようになっている。シーン番号の最大値は９９９、テイク番号の最大値は１５となっている。ＯＫ／ＮＧを示すフラグは、“１”がＯＫ、“０”がＮＧを表すようになっている。
【００３３】
図１２はパックＣＵＥn の内容の概略を示したものである。このパックＣＵＥn では、データ部５２に、キュー点のタイムコード（時，分，秒，フレーム）が記録されるようになっている。
【００３４】
図１３はパックＩＰadd1の内容の概略を示したものである。このパックＩＰadd1では、データ部５２に、インデックスピクチャ情報のビデオテープ２７上の記録位置を示すタイムコード（時，分，秒，フレーム）が記録されるようになっている。図１４はパックＩＰadd2の内容の概略を示したものである。このパックＩＰadd2では、データ部５２に、タイムコード重複時の救済のために、インデックスピクチャ情報のビデオテープ２７上の記録位置を示す絶対トラック番号が記録されるようになっている。
【００３５】
なお、図１０ないし図１４において、b2，b1，b0と記した３ビットは、サブヘッダとして使用され、b2，b1，b0が０，０，０のときパックＩＰadd1であることを表し、０，０，１のときパックＩＰadd2であることを表し、０，１，０のときパックＩＰn1であることを表し、０，１，１のときパックＩＰn2であることを表し、１，０，０のときパックＣＵＥn であることを表している。
【００３６】
図１５ないし図１９は、それぞれパックＩＰn1，ＩＰn2，ＣＵＥn ，ＩＰadd1，ＩＰadd2の詳細な内容を示したものである。図１６ないし図１８において、ＴＥＮＳ  ｏｆ  ＦＲＡＭＥＳはフレームの１０の位の値、ＵＮＩＴＳ  ｏｆ  ＦＲＡＭＥＳはフレームの１の位の値、ＴＥＮＳ  ｏｆ  ＳＥＣＯＮＤＳは秒の１０の位の値、ＵＮＩＴＳ  ｏｆ  ＳＥＣＯＮＤＳは秒の１の位の値、ＴＥＮＳ
ｏｆ  ＭＩＮＵＴＥＳは分の１０の位の値、ＵＮＩＴＳ  ｏｆ  ＭＩＮＵＴＥＳは分の１の位の値、ＴＥＮＳ  ｏｆ  ＨＯＵＲＳは時の１０の位の値、ＵＮＩＴＳ  ｏｆ  ＨＯＵＲＳは時の１の位の値を表している。図１９において、ＩＰは、ビデオテープ２７に記録されたインデックスピクチャ情報の有効，無効を示すフラグを表し、“１”が有効、０”が無効を表すようになっている。
【００３７】
次に、図２０ないし図２７を参照して、ビデオテープ２７に記録されるデータについて説明する。図２０は、ビデオテープ２７上の記録パターンを示したものである。ビデオテープ２７上では、１フレームが１０トラックで構成されている。各トラック６１は、オーディオデータ部６２，ビデオデータ部６３およびサブコード部６４を有している。なお、図中、符号６５で示した矢印は、ヘッドの走行方向、すなわちデータの記録，再生の順序を表している。
【００３８】
図２１は、図２０におけるオーディオデータ部６２に記録されるデータの構造を示したものである。オーディオデータ部６２には、５×９バイトのオーディオ補助データ６６と７２×９バイトのオーディオデータ６７からなる７７×９バイトのブロックに対して、７７×５バイトの外符号６８を付加し、これに対して更に、８×１４バイトの内符号６９を付加して構成されたデータが記録される。図中、符号７０で示した矢印は記録，再生の方向を表している。例えば、サンプリング周波数４８ｋＨｚ，１６ビットのオーディオデータは、１フレーム（１０トラック）のうちの前半５トラック分に第１チャネル分がインターリーブされて記録され、残り後半５トラックに第２チャネル分がインターリーブされて記録される。なお、オーディオ補助データ６６部分に使用者が管理情報を記録する場合、フォーマット上、１２バイトの記録が可能である。
【００３９】
図２２は、図２０におけるビデオデータ部６３に記録されるデータの構造を示したものである。ビデオデータ部６３には、７７×（２＋１）バイトのビデオ補助データ７１と７７×１３５バイトのビデオデータ７２からなる７７×１３８バイトのブロックに対して、７７×１１バイトの外符号７３を付加し、これに対して更に、８×１４９バイトの内符号７４を付加して構成されたデータが記録される。図中、符号７５で示した矢印は記録，再生の方向を表している。なお、ビデオ補助データ７１部分で、フォーマット上、使用者に開放されている記録可能な容量は１５６バイトである。
【００４０】
図２３は、図２０におけるサブコード部６４に記録されるデータの構造を示したものである。サブコード部６４には、５×１２バイトのサブコード７６に対して、２×１２バイトの内符号７７を付加して構成されたデータが記録される。図中、符号７８で示した矢印は記録，再生の方向を表している。サブコード部６４に、映像音声管理情報を記録する場合、使用者に開放されている記録可能な容量は２４バイト（パックヘッダを除く）である。
【００４１】
図２４は、ビデオテープ２７上におけるオーディオデータ部６２，ビデオデータ部６３およびサブコード部６４の配置を示したものである。図中、符号７９で示した矢印は記録，再生の方向を表している。この図に示したように、ビデオテープ２７上では、記録，再生の方向に対して、オーディオデータ部６２，ビデオデータ部６３およびサブコード部６４の順番に配置される。
【００４２】
図２５および図２６は、ビデオテープ２７上のサブコード部６４のフォーマットを示したものである。ここで、図２５は１フレーム（１０トラック）のうちの前半５トラック側における１トラック分のデータ構造を表し、図２６は後半５トラック側における１トラック分のデータ構造を表している。これらの図において、サブコードデータと記した５×１２バイトの領域がサブコード部６４である。このサブコード部６４の左側の２×１２バイトの領域は、サブコードのシンクブロック中のＩＤコード部分であるが、本発明には直接的には関係しないので、説明を省略する。なお、図２５および図２６に示したフォーマットは、前出の規格書に規定されている。
【００４３】
図２５および図２６中のサブコード部６４では、５×６バイトの領域（パックヘッダを除くと２４バイト）が使用者に開放されている。本実施の形態では、この開放された領域に、図１４ないし図１７に示したインデックスピクチャに関連するパックＩＰn1，ＩＰn2，ＣＵＥn ，ＩＰadd1，ＩＰadd2を記録するようにしている。図２５および図２６において、ＦＢ（ＩＰn1），ＦＢ（ＩＰn2），ＦＢ（ＣＵＥ），ＦＢ（ＩＰadd1），ＦＢ（ＩＰadd2）と記した部分が、それぞれパックＩＰn1，ＩＰn2，ＣＵＥn ，ＩＰadd1，ＩＰadd2を記録する部分である。なお、ＦＢ（ＣＵＥ）は、キューモード時においてキュー点が指定されたときに記録される。インデックスピクチャに関連するパックは、前半トラック側と後半トラック側に同様に記録される。従って、インデックスピクチャに関連する同じ内容のパックは、１０回（１０トラック分）書き込まれることになる。
【００４４】
図２７は、ビデオテープ１７上におけるサブコードデータの物理的な配置を示したものである。この図中の１マスが１パックに対応する。また、斜線を付していない空白の部分が、使用者に開放されている部分を表している。
【００４５】
次に、図１に示したシステムにおけるインデックスピクチャ情報の作成に関連する動作について説明する。
【００４６】
まず、図２に示したディジタルＶＴＲ部２０によって映像情報をビデオテープ２７に記録する際に、操作部３３を用いてマークイン点，マークアウト点，ＯＫ／ＮＧ，テイク番号等を指示する場合の動作について説明する。図２に示したディジタルＶＴＲ部２０によって映像情報をビデオテープ２７に記録する際には、ディジタルビデオカメラ部からの映像信号は、入力端子２１を介してディジタルＶＴＲ部２０に入力される。この映像信号は、Ａ／Ｄ変換器２２によってＡ／Ｄ変換され、映像信号圧縮符号化・復号化部２３によって圧縮符号化され、エラー訂正処理部２４によってエラー訂正コードが付加され、チャネルコーディング部２５によって、ビデオテープに記録するのに適した符号化処理が行われて、ビデオヘッド２６によってビデオテープ２７に記録される。
【００４７】
このような記録時に、使用者がマークモードを選択して、操作部３３を用いてマークイン点，マークアウト点，ＯＫ／ＮＧ，テイク番号を指示すると、これらの指示された情報と自動的にインクリメントするシーン番号の情報は、コントローラ３５によって、ディジタルビデオカセット１２におけるカセット付属メモリ１６のオプションエリア５４とビデオテープ２７のサブコード部６４とに記録される。カセット付属メモリ１６のオプションエリア５４に対する記録は、コントローラ３５が端子３４，１５を介してカセット付属メモリ１６にデータを送信することで行われ、ビデオテープ２７のサブコード部６４に対する記録は、コントローラ３５がチャネルコーディング部２５にデータを送ることで行われる。また、マークイン点，マークアウト点，ＯＫ／ＮＧ，テイク番号およびシーン番号の情報は、図１０，図１１，図１５および図１６に示したパックＩＰn1，ＩＰn2によって記録される。なお、マークインアウトモード選択時には、各シーンの撮影開始時，撮影終了時が自動的にマークイン点，マークアウト点とされ、その情報がカセット付属メモリ１６とビデオテープ２７に記録されると共に、操作部３３によってキュー点が指示された場合には、その情報が、図１２および図１７に示したパックＣＵＥn によってカセット付属メモリ１６とビデオテープ２７に記録される。
【００４８】
図２８は、上述のような映像情報の記録時に、マークイン点，マークアウト点の対を２箇所で指定したときのビデオテープ２７の状態を模式的に示したものである。この図において、ＲＳは記録開始点、ＲＥは記録終了点、ＭＡＲＫ−ＩＮ１は１番目のマークイン点、ＭＡＲＫ−ＯＵＴ１は１番目のマークアウト点、ＭＡＲＫ−ＩＮ２は２番目のマークイン点、ＭＡＲＫ−ＯＵＴ２は２番目のマークアウト点を表している。１番目のマークイン点，マークアウト点間の１番目の記録素材と、２番目のマークイン点，マークアウト点間の２番目の記録素材に対しては、それぞれ、ＯＫ／ＮＧ，テイク番号およびシーン番号の付加情報が付加されている。
【００４９】
ここまでは、映像情報の記録時にマークイン点等の指示を行う場合について説明してきたが、本実施の形態では、ビデオテープ２７に記録された映像情報をディジタルＶＴＲ部２０や図３に示したディジタルビデオカセットレコーダ１３によって再生する際に、操作部３３を用いてマークイン点等を指示することもできる。この場合、使用者は、マークイン点等を指示する際に、一旦再生を止めてから操作部３３を操作するようにしても良いし、再生を継続しながら操作部３３を操作するようにしても良い。映像情報の再生時に指示されたマークイン点等の情報をカセット付属メモリ１６およびビデオテープ２７へ記録する方法は、映像情報の記録時と同様である。なお、映像情報の再生時には、ビデオテープ２７に記録された信号は、ビデオヘッド２６によって再生され、チャネルコーディング部２５によって復号化され、エラー訂正処理部２４によってエラー訂正処理が行われ、映像信号圧縮符号化・復号化部２３によって復号化され、Ｄ／Ａ変換器２８によってＤ／Ａ変換されて、出力端２９より出力される。
【００５０】
次に、上述のようにしてビデオテープ２７に対して映像情報が記録されると共にカセット付属メモリ１６およびビデオテープ２７にマークイン点等の情報が記録されたディジタルビデオカセット１２を用いて、インデックスピクチャ情報を作成しビデオテープ２７に記録する動作について、図２９を参照して説明する。図２９は、インデックスピクチャ情報作成時におけるビデオテープ２７の状態を模式的に示したものである。インデックスピクチャ情報の作成は、図３に示したディジタルビデオカセットレコーダ１３によって行われる。使用者が、操作部３３を用いてインデックスピクチャ情報の作成を指示すると、ディジタルビデオカセットレコーダ１３のコントローラ３５は、カセット付属メモリ１６より全てのマークイン点の情報すなわちタイムコードを読み出し、機構部３１を制御して、１番目のマークイン点に対するプリロール点にビデオテープ２７をプリロールさせる。その後、コントローラ３５は、１番目のマークイン点の画像すなわちインデックスピクチャ９１を再生させ、映像信号圧縮符号化・復号化部２３によって復号化されたインデックスピクチャ９１に対応する信号をインデックス作成部４０に送り、インデックス用メモリ４１に記憶させる。次に、コントローラ３５は、２番目のマークイン点についても同様に、プリロール点にビデオテープ２７をプリロールさせ、マークイン点の画像すなわちインデックスピクチャ９２を再生させ、映像信号圧縮符号化・復号化部２３によって復号化されたインデックスピクチャ９２に対応する信号をインデックス作成部４０に送り、インデックス用メモリ４１に記憶させる。３番目以降のマークイン点についても同様である。
【００５１】
また、インデックス作成部４０は、取り込んだインデックスピクチャに対応する信号を、圧縮，縮小化するために映像信号圧縮符号化・復号化部２３に送る。映像信号圧縮符号化・復号化部２３は、送られた信号に対して所定の大きさのブロック単位でＤＣＴ処理を行い、ブロック毎のＤＣ（直流）成分をインデックス作成部４０に送る。インデックス作成部４０は、このブロック毎のＤＣ成分を用いて圧縮，縮小化されたインデックスピクチャを作成し、この圧縮，縮小化されたインデックスピクチャのデータを、インデックス用メモリ４１における所定のアドレスの位置に格納して、圧縮，縮小化されたインデックスピクチャの集合画像の情報であるインデックスピクチャ情報を作成する。インデックス作成部４０が、圧縮，縮小化されたインデックスピクチャのデータを、インデックス用メモリ４１に対して、インデックスピクチャ情報用に割り当てられた所定の容量分だけ格納したら、コントローラ３５は、スイッチ３９を切り換え、インデックス作成部４０よりインデックスピクチャ情報を出力させ、スイッチ３９を介して映像信号圧縮符号化・復号化部２３に入力させると共に、機構部３１を制御してビデオテープ２７の所定の位置、例えば記録終了点ＲＥの後や記録開始点ＲＳの後に、信号を記録可能な状態とする。インデックス作成部４０より出力されたインデックスピクチャ情報は、映像信号圧縮符号化・復号化部２３によって圧縮符号化され、エラー訂正処理部２４およびチャネルコーディング部２５における所定の処理が施されて、ビデオヘッド２６によってビデオテープ２７の所定の位置に記録される。
【００５２】
図２９は、インデックスピクチャ情報９３を、記録終了点ＲＥの後に続けて記録した例を示している。また、図３０は、図２９の例と同様にしてインデックスピクチャ情報を作成した後、インデックスピクチャ情報９３を、記録開始点ＲＳの後に続けて記録した例を示している。なお、記録開始点ＲＳの後には、元々は数秒間、黒信号が記録されており、この位置にインデックスピクチャ情報９３を記録しても、映像情報が損なわれることはない。
【００５３】
コントローラ３５は、インデックスピクチャ情報９３をビデオテープ２７に記録したときには、インデックスピクチャ情報９３のビデオテープ２７上の記録位置のタイムコードを、パックＩＰadd1，ＩＰadd2を用いて、カセット付属メモリ１６のオプションエリア５４に記録すると共に、ビデオテープ２７の所定の位置（例えばインデックスピクチャ情報９３の記録位置と同じ位置やその近傍の位置）のサブコード部６４に記録する。
【００５４】
図３１は、インデックスピクチャ情報によって表示される画像の一例について説明するための説明図である。この例は、ＮＴＳＣ方式の例であり、７２０ドット×４８０ラインの１フレーム中に、最大３２枚の圧縮，縮小化後のインデックスピクチャを配置している。なお、図中、１〜３２の数字を付した部分が、それぞれインデックスピクチャを表し、且つインデックスピクチャは、時間的な順番（タイムコードの小さい順）に従って、図中の１〜３２の数字の順番に記録される。インデックスピクチャが３２枚を越える場合には、インデックスピクチャ情報は複数フレーム分となる。
【００５５】
なお、ここまでは、各マークイン点の画像を無条件にインデックスピクチャとする場合について説明してきたが、本実施の形態では、付加情報であるＯＫ／ＮＧ，テイク番号およびシーン番号の情報に基づいて、各マークイン点の画像のうち所望の条件に合致する画像を選択してインデックスピクチャとすることもできる。例えば、ＮＧシーンの画像のみを選択したり、ＯＫシーンの画像のみを選択したり、指定されたシーン番号やテイク番号の画像のみを選択したりすることが可能である。
【００５６】
このように、本実施の形態では、撮影時にインデックスピクチャ情報が作成されていなくとも、後で、カセット付属メモリ１６およびビデオテープ２７に記録された指標情報（マークイン点，マークアウト点，キュー点の情報）と付加情報（ＯＫ／ＮＧ，テイク番号，シーン番号の情報）とに基づいて、インデックスピクチャ情報を作成してビデオテープ２７に記録することが可能となる。従って、撮影時にインデックスピクチャ情報を作成する機能を有しない機器を用いて撮影を行った場合でも、後で、インデックスピクチャ情報を作成してビデオテープ２７に記録することによって、インデックスピクチャ情報を用いた編集作業の効率化（ビデオテープ２７における所望の位置の頭出しの改善や、ビデオテープ２７に記録されている映像情報の概要紹介等）を図ることが可能となる。
【００５７】
更に、本実施の形態では、指標情報と付加情報に基づいて、所望の条件に合致する画像を選択してインデックスピクチャとすることができ、これにより、より編集作業の効率化を図ることが可能となる。
【００５８】
また、本実施の形態では、指標情報と付加情報をカセット付属メモリ１６とビデオテープ２７の双方に記録するようにしたので、カセット付属メモリ１６を有しないディジタルビデオカセット１２を用いて撮影を行った場合でも、後で、インデックスピクチャ情報を作成してビデオテープ２７に記録することが可能となる。
【００５９】
次に、図３２および図３３の流れ図を参照して、カセット付属メモリ１６とビデオテープ２７に記録された指標情報，付加情報およびインデックスピクチャ情報を修正する修正処理の動作について説明する。この修正処理は、図３に示したディジタルビデオカセットレコーダ１３によって行われる。使用者が、操作部３３を用いて修正処理の実行を指示すると、ディジタルビデオカセットレコーダ１３のコントローラ３５は、図３２および図３３に示した修正処理を実行する。なお、この修正処理が行われるときには、既に、カセット付属メモリ１６に記録されている指標情報と付加情報はコントローラ３５によって読み出されている。この読み出しは、例えば、ディジタルビデオカセット１２がディジタルビデオカセットレコーダ１３に装着された時点で自動的に行われる。
【００６０】
修正処理では、まず、コントローラ３５は、マークインスイッチが押されたか否かを判断する（ステップＳ１０１）。コントローラ３５は、マークインスイッチが押された場合（Ｙ）には、マークイン点のタイムコードを一時記憶する（ステップＳ１０２）。マークインスイッチが押されていない場合（ステップＳ１０１；Ｎ）には、コントローラ３５は、マークアウトスイッチが押されたか否かを判断する（ステップＳ１０３）。コントローラ３５は、マークアウトスイッチが押された場合（Ｙ）には、マークアウト点のタイムコードを一時記憶する（ステップＳ１０４）。マークイン点またはマークアウト点のタイムコードが一時記憶されたら（ステップＳ１０２，ステップＳ１０４）、コントローラ３５は、対となるマークイン点とマークアウト点のタイムコードを比較し（ステップＳ１０５）、マークアウト点のタイムコードよりもマークイン点のタイムコードの方が小さいか否かを判断する（ステップＳ１０６）。マークイン点のタイムコードの方が小さい場合（Ｙ）には、マークイン点，マークアウト点を登録する（ステップＳ１０７）。なお、対となるマークイン点とマークアウト点とは、同じシーンおよびテイク内のマークイン点とマークアウト点を言う。また、図３２および図３３に示した修正処理では、マークイン点またはマークアウト点のみの修正も可能になっている。マークイン点またはマークアウト点のみの修正の場合には、ステップＳ１０５において比較される一方の点は、修正前の点となる。
【００６１】
マークアウトスイッチが押されていない場合（ステップＳ１０３；Ｎ）、マークイン点のタイムコードの方が小さくない場合（ステップＳ１０６；Ｎ）およびマークイン点，マークアウト点の登録（ステップＳ１０７）が終了した場合には、コントローラ３５は、キュースイッチが押されたか否かを判断する（ステップＳ１０８）。コントローラ３５は、キュースイッチが押された場合（Ｙ）には、キュー点のタイムコードを一時記憶し（ステップＳ１０９）、既に指定されているキュー点とは異なるキュー点か否かを判断する（ステップＳ１１０）。異なるキュー点である場合（ステップＳ１１０；Ｙ）には、コントローラ３５は、異なるキュー点を登録する（ステップＳ１１１）。
【００６２】
キュースイッチが押されていない場合（ステップＳ１０８；Ｎ）、異なるキュー点ではない場合（ステップＳ１１０；Ｎ）および異なるキュー点の登録（ステップＳ１１１）が終了した場合には、コントローラ３５は、ＯＫ／ＮＧスイッチが押されたか否かを判断する（ステップＳ１１２）。コントローラ３５は、ＯＫ／ＮＧスイッチが押された場合（Ｙ）には、指示されたＯＫまたはＮＧを登録する（ステップＳ１１３）。コントローラ３５は、ＯＫ／ＮＧスイッチが押されていない場合（ステップＳ１１２；Ｎ）およびＯＫまたはＮＧの登録（ステップＳ１１３）が終了した場合には、登録があったか否かを判断する（ステップＳ１１４）。コントローラ３５は、登録があった場合（Ｙ）は、カセット付属メモリ１６およびビデオテープ２７中のパックＩＰn1，ＩＰn2，ＣＵＥn を書き換える（ステップＳ１１５）。
【００６３】
次に、コントローラ３５は、インデックスピクチャ情報を作成する機能があるか否かを判断する（ステップＳ１１６）。その機能がある場合（Ｙ）は、コントローラ３５は、インデックスピクチャ情報を修正する（ステップＳ１１７）。インデックスピクチャ情報を作成する機能がない場合（ステップＳ１１６；Ｎ）およびインデックスピクチャ情報の修正（ステップＳ１１７）が終了した場合には、コントローラ３５は、修正指示の終了か否かを判断する（ステップＳ１１８）。修正指示の終了は、例えば、使用者が操作部３３を操作して指示する。修正指示の終了である場合（Ｙ）には、コントローラ３５は、インデックスピクチャ情報を作成する機能があるか否かを判断する（ステップＳ１１９）。その機能がある場合（Ｙ）は、コントローラ３５は、修正されたインデックスピクチャ情報をビデオテープ２７に書き込むと共に、カセット付属メモリ１６およびビデオテープ２７にパックＩＰadd1，ＩＰadd2を書き込んで（ステップＳ１２０）、修正処理を終了する。また、インデックスピクチャ情報を作成する機能がない場合（ステップＳ１１９；Ｎ）は、そのまま修正処理を終了する。また、登録がない場合（ステップＳ１１４；Ｎ）および修正指示の終了ではない場合（ステップＳ１１８；Ｎ）は、ステップＳ１０１に戻る。
【００６４】
なお、図３２および図３３に示した修正処理には、マークイン点等の変更と追加とがある。マークイン点等の変更のモードか追加のモードかは、操作部３３に設けられたモードスイッチによって切り換えられるようになっている。
【００６５】
ここで、図３４を参照して、マークイン点の変更について具体的に説明する。図３４は、図２９の例と同様にマークイン点，マークアウト点の対が２箇所で指定されているビデオテープ２７に対して、１番目のマークイン点を変更した場合のビデオテープ２７の状態を模式的に示したものである。この図において、ＲＳは記録開始点、ＲＥは記録終了点、ＭＡＲＫ−ＩＮ１は変更前の１番目のマークイン点、ＭＡＲＫ−ＯＵＴ１は１番目のマークアウト点、ＭＡＲＫ−ＩＮ２は２番目のマークイン点、ＭＡＲＫ−ＯＵＴ２は２番目のマークアウト点を表している。１番目のマークイン点，マークアウト点間の１番目の記録素材と、２番目のマークイン点，マークアウト点間の２番目の記録素材に対しては、それぞれ、ＯＫ／ＮＧ，テイク番号およびシーン番号の付加情報が付加されている。また、マークイン点の変更前において、インデックスピクチャ情報は、変更前の１番目のマークイン点のインデックスピクチャ９１と２番目のマークイン点のインデックスピクチャ９２とを含んでいる。
【００６６】
１番目のマークイン点を変更するには、使用者は、ビデオテープ２７を再生し、再生画面を見ながら、新たな１番目のマークイン点を選定し、操作部３３のマークインスイッチを押す。マークインスイッチが押された時点が、変更前の１番目のマークイン点と同じシーンおよびテイクに属する場合には、マークインスイッチが押されたときのタイムコードが、新たな１番目のマークイン点のタイムコードとして一時記憶される（ステップＳ１０２）。図３４では、この新たな１番目のマークイン点をＭＡＲＫ−ＩＮ１Ｎとして表している。そして、新たな１番目のマークイン点ＭＡＲＫ−ＩＮ１Ｎのタイムコードが、１番目のマークアウト点ＭＡＲＫ−ＯＵＴ１のタイムコードよりも小さければ（ステップＳ１０６；Ｙ）、新たな１番目のマークイン点ＭＡＲＫ−ＩＮ１Ｎが登録され（ステップＳ１０７）、カセット付属メモリ１６およびビデオテープ２７における変更前の１番目のマークイン点ＭＡＲＫ−ＩＮ１のデータが、新たな１番目のマークイン点ＭＡＲＫ−ＩＮ１Ｎのデータに書き換えられる（ステップＳ１１５）。
【００６７】
図３５は、上述のような１番目のマークイン点の変更の場合におけるカセット付属メモリ１６内のデータの変化を表したものであり、（ａ）が変更前、（ｂ）が変更後の状態を表している。この図に示したように、カセット付属メモリ１６内のオプションエリアでは、変更前の１番目のマークイン点ＭＡＲＫ−ＩＮ１のデータが記録されたパックＩＰ11（ＭＡＲＫ−ＩＮ１），ＩＰ12（ＭＡＲＫ−ＩＮ１）が、新たな１番目のマークイン点ＭＡＲＫ−ＩＮ１Ｎのデータが記録されたパックＩＰ11（ＭＡＲＫ−ＩＮ１Ｎ），ＩＰ12（ＭＡＲＫ−ＩＮ１Ｎ）に変更される。
【００６８】
また、図３４に示したように、新たな１番目のマークイン点ＭＡＲＫ−ＩＮ１Ｎが登録されたときには、そのインデックスピクチャ９１Ｎがインデックス作成部４０に取り込まれ、インデックスピクチャ情報も修正される。このインデックスピクチャ情報の修正について、図３６を参照して説明する。図３６（ａ）は、１番目のマークイン点の変更する前におけるインデックス用メモリ４１内のインデックスピクチャ情報の状態を表したものである。図中、符号２０１は、変更前の１番目のマークイン点ＭＡＲＫ−ＩＮ１の圧縮，縮小後のインデックスピクチャを表している。また、図中の矢印は、インデックスピクチャの記録順を表している。
【００６９】
なお、インデックスピクチャ情報は、修正処理が実行される前に、インデックス用メモリ４１内に格納されている。その方法は、ビデオテープ２７に記録されたインデックスピクチャ情報９３を読み込んでインデックス用メモリ４１に格納するという方法でも良いし、カセット付属メモリ１６に記録された指標情報に基づいてビデオテープ２７より各インデックスピクチャを取り込んでインデックスピクチャ情報を作成しインデックス用メモリ４１に格納するという方法でもよい。
【００７０】
新たな１番目のマークイン点ＭＡＲＫ−ＩＮ１Ｎが登録されると、図３６（ｂ）に示したように、インデックス作成部４０によって、インデックス用メモリ４１内において、変更前の１番目のマークイン点ＭＡＲＫ−ＩＮ１の圧縮，縮小後のインデックスピクチャ２０１が、新たな１番目のマークイン点ＭＡＲＫ−ＩＮ１Ｎの圧縮，縮小後のインデックスピクチャ２０１Ｎに書き換えられる。
【００７１】
ここで、図３７を参照して、図３４ないし図３６の例の場合におけるインデックスピクチャ情報とカセット付属メモリ１６内のデータとの対応関係について説明する。図３７（ａ）はインデックスピクチャ情報を表し、図３７（ｂ）はカセット付属メモリ１６内のデータを表している。図３７（ａ）に示したように、インデックスピクチャ情報では、図中の１〜３２の数字の順番に、マークイン点ＭＡＲＫ−ＩＮ１Ｎ，ＭＡＲＫ−ＩＮ２，ＭＡＲＫ−ＩＮ３，…の圧縮，縮小後のインデックスピクチャが記録され、図３７（ｂ）に示したように、各インデックスピクチャに対応するパックＩＰn1，ＩＰn2の対は、図３７（ａ）における数字の順番に従って、サブエリアの先頭のアドレスから順にカセット付属メモリ１６に格納される。従って、パックＩＰn1，ＩＰn2の対が記録されているカセット付属メモリ１６のアドレスと、インデックスピクチャ情報中における各インデックスピクチャの位置とは、一対一に対応する。
【００７２】
次に、図３８を参照して、マークイン点，マークアウト点の追加について具体的に説明する。図３８は、図３４の例と同様にマークイン点，マークアウト点の対が２箇所で指定されているビデオテープ２７に対して、新たなマークイン点，マークアウト点を追加した場合のビデオテープ２７の状態を模式的に示したものである。
【００７３】
マークイン点，マークアウト点を追加するには、使用者は、ビデオテープ２７を再生し、再生画面を見ながら、新たなマークイン点ＭＡＲＫ−ＩＮ３を選定し、操作部３３のマークインスイッチを押し、更に、新たなマークアウト点ＭＡＲＫ−ＯＵＴ３を選定し、操作部３３のマークアウトスイッチを押す。これらマークイン点，マークアウト点が同じシーンおよびテイク（図３８の例では、２番目のマークイン点ＭＡＲＫ−ＩＮ２，マークアウト点ＭＡＲＫ−ＯＵＴ２と同じシーンおよびテイク）に属し、且つマークイン点ＭＡＲＫ−ＩＮ３のタイムコードが、マークアウト点ＭＡＲＫ−ＯＵＴ３のタイムコードよりも小さければ、新たな３番目のマークイン点ＭＡＲＫ−ＩＮ３，マークアウト点ＭＡＲＫ−ＯＵＴ３が登録され、カセット付属メモリ１６およびビデオテープ２７に追加記録される。なお、この例では、３番目のマークイン点ＭＡＲＫ−ＩＮ３のタイムコードは、２番目のマークイン点ＭＡＲＫ−ＩＮ２のタイムコードよりも小さくなっている。
【００７４】
図３９は、上述のような３番目のマークイン点ＭＡＲＫ−ＩＮ３，マークアウト点ＭＡＲＫ−ＯＵＴ３の追加の場合におけるカセット付属メモリ１６内のデータの変化を表したものであり、（ａ）が変更前、（ｂ）が変更後の状態を表している。この図に示したように、カセット付属メモリ１６内のオプションエリアでは、２番目のマークイン点ＭＡＲＫ−ＩＮ２以降のデータが、２パック分ずつアドレスが増加した領域に記録し直されると共に、新たな３番目のマークイン点ＭＡＲＫ−ＩＮ３のパックの対ＩＰ21（ＭＡＲＫ−ＩＮ３），ＩＰ22（ＭＡＲＫ−ＩＮ３）が、１番目のマークイン点ＭＡＲＫ−ＩＮ１のパックの対ＩＰ11（ＭＡＲＫ−ＩＮ１），ＩＰ12（ＭＡＲＫ−ＩＮ１）と２番目のマークイン点ＭＡＲＫ−ＩＮ２のデータのパックの対ＩＰ31（ＭＡＲＫ−ＩＮ２），ＩＰ32（ＭＡＲＫ−ＩＮ２）との間のアドレスの位置に挿入される。
【００７５】
また、図３８に示したように、新たな３番目のマークイン点ＭＡＲＫ−ＩＮ２が登録されたときには、そのインデックスピクチャ２０３がインデックス作成部４０に取り込まれ、インデックスピクチャ情報も修正される。このインデックスピクチャ情報の修正について、図４０を参照して説明する。図４０（ａ）は、３番目のマークイン点，マークアウト点を追加する前におけるインデックス用メモリ４１内のインデックスピクチャ情報の状態を表したものである。図中、符号２１１，２１２は、それぞれ１番目のマークイン点ＭＡＲＫ−ＩＮ１と２番目のマークイン点ＭＡＲＫ−ＩＮ２の圧縮，縮小後のインデックスピクチャを表している。
【００７６】
新たな３番目のマークイン点ＭＡＲＫ−ＩＮ３が登録されると、図４０（ｂ）に示したように、インデックス作成部４０によって、インデックス用メモリ４１内において、２番目のマークイン点ＭＡＲＫ−ＩＮ２の圧縮，縮小後のインデックスピクチャ２１２以降が、記録順で１つ分ずつ後に配置し直されると共に、新たな３番目のマークイン点ＭＡＲＫ−ＩＮ３の圧縮，縮小後のインデックスピクチャ２１３が、１番目のマークイン点ＭＡＲＫ−ＩＮ１の圧縮，縮小後のインデックスピクチャ２１１と２番目のマークイン点ＭＡＲＫ−ＩＮ２の圧縮，縮小後のインデックスピクチャ２１２の間に配置される。
【００７７】
インデックス用メモリ４１内において、インデックスピクチャ情報中の各インデックスピクチャの位置とインデックス用メモリ４１内のアドレスは、一対一に対応している。従って、上述のようなインデックスピクチャの再配置は、インデックス用メモリ４１内における各インデックスピクチャの格納位置（アドレス）を変更することで容易に実行することができる。
【００７８】
ここで、図４１を参照して、図３８ないし図４０の例の場合におけるインデックスピクチャ情報とカセット付属メモリ１６内のデータとの対応関係について説明する。図４１（ａ）はインデックスピクチャ情報を表し、図４１（ｂ）はカセット付属メモリ１６内のデータを表している。図４１（ａ）に示したように、インデックスピクチャ情報では、図中の１〜３２の数字の順番に、マークイン点ＭＡＲＫ−ＩＮ１，ＭＡＲＫ−ＩＮ３，ＭＡＲＫ−ＩＮ２，…の圧縮，縮小後のインデックスピクチャ２１１，２１３，２１２，…が記録され、図４１（ｂ）に示したように、各インデックスピクチャに対応するパックＩＰn1，ＩＰn2の対は、図４１（ａ）における数字の順番に従って、サブエリアの先頭のアドレスから順にカセット付属メモリ１６に格納される。
【００７９】
次に、修正されたインデックスピクチャ情報のビデオテープ２７への書き込みについて説明する。修正されたインデックスピクチャ情報をビデオテープ２７に書き込む方法には、ビデオテープ２７に既に記録されているインデックスピクチャ情報とは別にビデオテープ２７に記録する方法と、ビデオテープ２７上において既にインデックスピクチャ情報が記録されている部分に重ね書きする方法とがある。
【００８０】
まず、図４２を参照して、修正されたインデックスピクチャ情報を、ビデオテープ２７に既に記録されているインデックスピクチャ情報とは別にビデオテープ２７に記録する方法について説明する。図４２は、図３８を用いて説明したように、マークイン点，マークアウト点の対が２箇所で指定されているビデオテープ２７に対して、新たな第３のマークイン点，マークアウト点を追加した場合のビデオテープ２７の状態を模式的に示したものである。この例では、ビデオテープ２７において記録終了点ＲＥの後に、修正前のインデックスピクチャ情報９３が記録されており、その後につなげて、修正後のインデックスピクチャ情報９４を記録している。この場合には、ビデオテープ２７に修正前後のインデックスピクチャ情報９３，９４が記録されているので、使用者が修正前後の違いを認識できるという特徴を持つ。
【００８１】
ここで、図４３を参照して、上述のように、ビデオテープ２７に修正前のインデックスピクチャ情報９３とは別に、修正後のインデックスピクチャ情報９３を記録する場合におけるカセット付属メモリ１６上でのデータの修正について説明する。図４３（ａ）は修正前、図４３（ｂ）は修正後のカセット付属メモリ１６の状態を表している。この図に示したように、修正前のインデックスピクチャ情報９３のビデオテープ２７上の記録位置を示すパックＩＰadd1，ＩＰadd2の無効処理を行う。すなわち、図１９に示したパックＩＰadd2におけるＩＰビットを“０”（無効）とする。そして、新たに、修正後のインデックスピクチャ情報９４のビデオテープ２７上の記録位置を示すパックＩＰadd1Ｎ，ＩＰadd2Ｎをカセット付属メモリ１６に記録する。なお、図４３（ａ）におけるパックＩＰadd2および図４３（ｂ）におけるパックＩＰadd2Ｎでは、ＩＰビットが“１”（有効）になっている。
【００８２】
なお、図４３に示した例では、カセット付属メモリ１６に記録されているパックＩＰn1，ＩＰn2は、修正後のインデックスピクチャ情報９４に対応するものであり、修正前のインデックスピクチャ情報９３には対応していないため、修正前のインデックスピクチャ情報９３に含まれる各インデックスピクチャに対応するタイムコード等の情報を得ることはできない。しかし、カセット付属メモリ１６の記憶容量が大きい場合には、修正前のインデックスピクチャ情報９３に対応するパックＩＰn1，ＩＰn2もそのままカセット付属メモリ１６に残しておくことにより、修正前のインデックスピクチャ情報９３に含まれる各インデックスピクチャに対応するタイムコード等の情報を得ることも可能となる。
【００８３】
次に、図４４および図４５を参照して、修正されたインデックスピクチャ情報を、ビデオテープ２７上において既にインデックスピクチャ情報が記録されている部分に重ね書きする方法について説明する。図４４は、図４２の例と同様に記録終了点ＲＥの後に修正前のインデックスピクチャ情報９３が記録されたビデオテープ２７において、修正後のインデックスピクチャ情報９４を、修正前のインデックスピクチャ情報９３が記録されている部分に重ね書きした状態を示している。
【００８４】
図４５（ａ）は修正前、図４５（ｂ）は修正後のカセット付属メモリ１６の状態を表している。この図に示したように、修正後のインデックスピクチャ情報９４を重ね書きする場合は、修正前のインデックスピクチャ情報９３のビデオテープ２７上の記録位置を示すパックＩＰadd1，ＩＰadd2を、修正後のインデックスピクチャ情報９４のビデオテープ２７上の記録位置を示すパックＩＰadd1Ｎ，ＩＰadd2Ｎに書き換える。
【００８５】
次に、図４６および図４７を参照して、インデックスピクチャ情報を修正するために、修正処理が実行される前に、修正前のインデックスピクチャ情報をインデックス用メモリ４１内に格納する方法について説明する。前述のように、修正前のインデックスピクチャ情報をインデックス用メモリ４１内に格納する方法には、ビデオテープ２７に記録されたインデックスピクチャ情報を読み込んでインデックス用メモリ４１に格納するという方法と、カセット付属メモリ１６に記録された指標情報に基づいてビデオテープ２７より各インデックスピクチャを取り込んでインデックスピクチャ情報を作成しインデックス用メモリ４１に格納するという方法とがある。以下、これらの各方法の場合の動作について説明する。
【００８６】
図４６は、ビデオテープ２７に記録されたインデックスピクチャ情報を読み込んでインデックス用メモリ４１に格納する動作を示す流れ図である。この動作は、図３に示したディジタルビデオカセットレコーダ１３によって行われ、また、使用者が、操作部３３を用いて図３２および図３３に示した修正処理の実行を指示した際に最初に実行される。図４６に示した動作では、まず、コントローラ３５は、カセット付属メモリ１６またはビデオテープ２７より、インデックスピクチャ情報のビデオテープ２７上の記録位置を示すパックＩＰadd1，ＩＰadd2を読み込む（ステップＳ１３１）。次に、コントローラ３５は、インデックスピクチャ情報の記録位置に対するビデオテープ２７の頭出し（再生開始位置の設定）を行う（ステップＳ１３２）。具体的には、インデックスピクチャ情報の記録位置よりも所定時間（例えば５秒）手前のプリロールポイントに頭出しを行う。次に、コントローラ３５は、ビデオテープ２７の再生を開始させる（ステップＳ１３３）。次に、コントローラ３５は、ビデオテープ２７が指定点の再生箇所すなわちインデックスピクチャ情報の記録位置に達するまで待ち（ステップＳ１３４）、インデックスピクチャ情報の記録位置に達したら、再生されたインデックスピクチャ情報をインデックス用メモリ４１に書き込んで（ステップＳ１３５）、動作を終了する。
【００８７】
なお、既に図３７等を用いて説明したように、カセット付属メモリ１６には、インデックスピクチャ情報中の各インデックスピクチャに対応するパックＩＰn1，ＩＰn2の対が、インデックスピクチャ情報中の各インデックスピクチャの記録順に従って格納されており、インデックスピクチャ情報中の各インデックスピクチャと、カセット付属メモリ１６中のパックＩＰn1，ＩＰn2の対との対応がとられている。
【００８８】
図４６に示した動作では、インデックスピクチャ情報をインデックス用メモリ４１に格納するスピードが速い（時間が短い）という利点を有するが、圧縮されてビデオテープ２７に記録されているインデックス情報を読み込んで、このインデックスピクチャ情報を用いて修正を行い、修正後のインデックスピクチャ情報を再度圧縮してビデオテープ２７に記録することになるので、画質の劣化が生じてしまうという不具合がある。
【００８９】
図４７は、カセット付属メモリ１６に記録された指標情報に基づいてビデオテープ２７より各インデックスピクチャを取り込んでインデックスピクチャ情報を作成しインデックス用メモリ４１に格納する動作を示す流れ図である。この動作は、図３に示したディジタルビデオカセットレコーダ１３によって行われ、また、使用者が、操作部３３を用いて図３２および図３３に示した修正処理の実行を指示した際に最初に実行される。図４７に示した動作では、まず、コントローラ３５は、カセット付属メモリ１６またはビデオテープ２７より、パックＩＰn1，ＩＰn2，ＣＵＥn を全て読み込む（ステップＳ１４１）。次に、コントローラ３５は、ビデオテープ２７を先頭まで巻き戻す（ステップＳ１４２）。次に、コントローラ３５は、ビデオテープ２７の再生を開始させる（ステップＳ１４３）。次に、コントローラ３５は、ビデオテープ２７が指定点の再生箇所すなわち各指標情報に基づくインデックスピクチャの記録位置に達するまで待ち（ステップＳ１４４）、インデックスピクチャの記録位置に達したら、再生されたインデックスピクチャの画像データをインデックス用メモリ４１に書き込んむ（ステップＳ１４５）。次に、コントローラ３５は、全てのインデックスピクチャの画像データの取り込みが終了したか否かを判断し（ステップＳ１４６）。終了していなければ（Ｎ）、ステップＳ１４４に戻り、次のインデックスピクチャの画像データの取り込みを行う。そして、コントローラ３５は、全てのインデックスピクチャの画像データの取り込みが終了したら（ステップＳ１４６；Ｙ）、動作を終了する。なお、取り込まれた各インデックスピクチャの画像データは、インデックス作成部４０および映像信号圧縮符号化・復号化部２３によって圧縮，縮小化されて、インデックス用メモリ４１における所定の格納位置（アドレス）に格納されて、インデックスピクチャ情報が作成される。
【００９０】
図３７に示した動作によって作成され、インデックス用メモリ４１に格納されたインデックスピクチャ情報の場合も、インデックスピクチャ情報中の各インデックスピクチャと、カセット付属メモリ１６中のパックＩＰn1，ＩＰn2の対との対応はとられている。
【００９１】
図３７に示した動作では、インデックスピクチャ情報をインデックス用メモリ４１に格納するスピードが遅い（時間が長い）が、インデックスピクチャ情報を修正してビデオテープ２７に記録しても、修正前のインデックスピクチャ情報と比べて画質の劣化がないという利点がある。
【００９２】
以上説明したように、本実施の形態によれば、ビデオテープ２７とカセット付属メモリ１６に記録された指標情報，付加情報およびインデックスピクチャ情報を、後で修正することができるので、本編集の前に、粗い編集を行うことができ、より編集作業の効率化を図ることができる。
【００９３】
なお、本発明は上記実施の形態に限定されず、例えば、実施の形態では、指標情報と付加情報をカセット付属メモリ１６とビデオテープ２７の双方に記録するようにしたが、いずれか一方にのみ記録するようにしても良い。また、実施の形態では、インデックスピクチャ情報のビデオテープ２７上の記録位置のタイムコードもカセット付属メモリ１６とビデオテープ２７の双方に記録するようにしたが、いずれか一方にのみ記録するようにしても良い。
【００９４】
また、実施の形態では、インデックスピクチャ情報の作成時に、カセット付属メモリ１６に記録された指標情報と付加情報を用いるようにしたが、ビデオテープ２７に記録された指標情報と付加情報を用いるようにしても良い。
【００９５】
また、実施の形態では、マークイン点の画像をインデックスピクチャとする例について説明したが、本発明はこれに限らず、例えば、キューモード選択時にはキュー点の画像をインデックスピクチャとしても良い。
【００９６】
また、カメラ・レコーダ１１におけるディジタルＶＴＲ部を、図３に示した構成とし、このディジタルＶＴＲ部で指標情報，付加情報およびインデックスピクチャ情報の作成，記録および修正を行うことができるようにしても良い。
【００９７】
【発明の効果】
以上説明したように請求項１ないし５のいずれかに記載の指標画像情報修正方法または請求項６ないし１０のいずれかに記載の指標画像情報修正装置によれば、映像情報を記録した記録媒体に記録された指標画像情報を修正し、修正された後の指標画像情報を記録媒体に記録するようにしたので、映像情報を記録した記録媒体に記録された指標画像情報を、後で修正することができ、編集作業の効率化を図ることができるという効果を奏する。
【００９８】
また、請求項２記載の指標画像情報修正方法または請求項７記載の指標画像修正装置によれば、記録媒体に記録された修正前の指標画像情報を取り込み、このい修正前の指標画像情報を用いて指標画像情報の修正を行うようにしたので、請求項１記載の指標画像情報修正方法または請求項６記載の指標画像修正装置の効果に加え、修正前の指標画像情報の取り込みが速いという効果を奏する。
【００９９】
また、請求項３記載の指標画像情報修正方法または請求項８記載の指標画像修正装置によれば、記録媒体とその記録媒体に付随するメモリの少なくとも一方に記録された指標情報に基づいて、修正前の指標画像情報を作成し、これを用いて指標画像情報を修正を行うようにしたので、請求項１記載の指標画像情報修正方法または請求項６記載の指標画像修正装置の効果に加え、修正前後で指標画像情報の画質の劣化がないという効果を奏する。
【０１００】
また、請求項４記載の指標画像情報修正方法または請求項９記載の指標画像修正装置によれば、修正後の指標画像情報を、修正前の指標画像情報とは別に記録媒体に記録するようにしたので、請求項１記載の指標画像情報修正方法または請求項６記載の指標画像修正装置の効果に加え、修正前後の指標画像情報の比較が可能になるという効果を奏する。
【図面の簡単な説明】
【図１】本発明の一実施の形態に係る指標画像情報修正方法および装置が適用されるシステム全体の構成を示す説明図である。
【図２】図１に示したカメラ・レコーダにおけるディジタルＶＴＲ部の構成を示すブロック図である。
【図３】図１に示したディジタルビデオカセットレコーダの構成を示すブロック図である。
【図４】図１に示したディジタルビデオカセット内のカセット付属メモリとの通信の手段を示す説明図である。
【図５】カセット付属メモリに対するデータ書き込み時のプロトコルについて説明するための説明図である。
【図６】図５におけるシリアルデータとシリアルクロックとの関係を示す説明図である。
【図７】カセット付属メモリからのデータ読み出し時のプロトコルについて説明するための説明図である。
【図８】カセット付属メモリに記録されるデータの単位であるパックの構造を示す説明図である。
【図９】カセット付属メモリのデータフォーマットを示す説明図である。
【図１０】本発明の一実施の形態に係る指標画像情報修正装置で使用するインデックスピクチャに関連するパックの内容の概略を示す説明図である。
【図１１】本発明の一実施の形態に係る指標画像情報修正装置で使用するインデックスピクチャに関連するパックの内容の概略を示す説明図である。
【図１２】本発明の一実施の形態に係る指標画像情報修正装置で使用するインデックスピクチャに関連するパックの内容の概略を示す説明図である。
【図１３】本発明の一実施の形態に係る指標画像情報修正装置で使用するインデックスピクチャに関連するパックの内容の概略を示す説明図である。
【図１４】本発明の一実施の形態に係る指標画像情報修正装置で使用するインデックスピクチャに関連するパックの内容の概略を示す説明図である。
【図１５】図１０に示したパックの詳細な内容を示す説明図である。
【図１６】図１１に示したパックの詳細な内容を示す説明図である。
【図１７】図１２に示したパックの詳細な内容を示す説明図である。
【図１８】図１３に示したパックの詳細な内容を示す説明図である。
【図１９】図１４に示したパックの詳細な内容を示す説明図である。
【図２０】図１に示したディジタルビデオカセットにおけるビデオテープ上の記録パターンを示す説明図である。
【図２１】図２０におけるオーディオデータ部に記録されるデータの構造を示す説明図である。
【図２２】図２０におけるビデオデータ部に記録されるデータの構造を示す説明図である。
【図２３】図２０におけるサブコード部に記録されるデータの構造を示す説明図である。
【図２４】ビデオテープ上におけるオーディオデータ部，ビデオデータ部およびサブコード部の配置を示す説明図である。
【図２５】ビデオテープ上のサブコード部のフォーマットを示す説明図である。
【図２６】ビデオテープ上のサブコード部のフォーマットを示す説明図である。
【図２７】ビデオテープ上におけるサブコードデータの物理的な配置を示す説明図である。
【図２８】本発明の一実施の形態において映像情報の記録時にマークイン点，マークアウト点を指定したときのビデオテープの状態を示す説明図である。
【図２９】本発明の一実施の形態におけるインデックスピクチャ情報作成時のビデオテープの状態の一例を示す説明図である。
【図３０】本発明の一実施の形態におけるインデックスピクチャ情報作成時のビデオテープの状態の他の例を示す説明図である。
【図３１】本発明の一実施の形態におけるインデックスピクチャ情報によって表示される画像の一例について説明するための説明図である。
【図３２】本発明の一実施の形態における指標情報，付加情報およびインデックスピクチャ情報の修正処理の動作を示す流れ図である。
【図３３】本発明の一実施の形態における指標情報，付加情報およびインデックスピクチャ情報の修正処理の動作を示す流れ図である。
【図３４】本発明の一実施の形態におけるマークイン点の変更について説明するための説明図である。
【図３５】図３４に示したマークイン点の変更の場合におけるカセット付属メモリ内のデータの変化を表す説明図である。
【図３６】図３４に示したマークイン点の変更の場合におけるインデックスピクチャ情報の修正について説明するための説明図である。
【図３７】図３４ないし図３６の例の場合におけるインデックスピクチャ情報とカセット付属メモリ内のデータとの対応関係について説明するための説明図である。
【図３８】本発明の一実施の形態におけるマークイン点，マークアウト点の追加について説明するための説明図である。
【図３９】図３８に示したマークイン点，マークアウト点の追加の場合におけるカセット付属メモリ内のデータの変化を表す説明図である。
【図４０】図３８に示したマークイン点，マークアウト点の追加の場合におけるインデックスピクチャ情報の修正について説明するための説明図である。
【図４１】図３８ないし図４０の例の場合におけるインデックスピクチャ情報とカセット付属メモリ内のデータとの対応関係について説明するための説明図である。
【図４２】本発明の一実施の形態において修正されたインデックスピクチャ情報を既に記録されているインデックスピクチャ情報とは別にビデオテープに記録する方法について説明するための説明図である。
【図４３】図４２の例の場合におけるカセット付属メモリ上でのデータの修正について説明するための説明図である。
【図４４】本発明の一実施の形態において修正されたインデックスピクチャ情報をビデオテープ上において既にインデックスピクチャ情報が記録されている部分に重ね書きする方法について説明するための説明図である。
【図４５】図４４の例の場合におけるカセット付属メモリ上でのデータの修正について説明するための説明図である。
【図４６】本発明の一実施の形態においてビデオテープに記録されたインデックスピクチャ情報を読み込んでインデックス用メモリに格納する動作を示す流れ図である。
【図４７】本発明の一実施の形態においてカセット付属メモリに記録された指標情報に基づいてビデオテープより各インデックスピクチャを取り込んでインデックスピクチャ情報を作成しインデックス用メモリに格納する動作を示す流れ図である。
【符号の説明】
１１…カメラ・レコーダ、１２…ディジタルビデオカセット、１３…ディジタルビデオカセットレコーダ、１４…編集装置、１６…カセット付属メモリ、２０…ディジタルＶＴＲ部、２７…ビデオテープ、３３…操作部、３５…コントローラ、４０…インデックス作成部、４１…インデックス用メモリ
【図１】
0003744629.tif 000002
【図２】
0003744629.tif 000003
【図３】
0003744629.tif 000004
【図４】
0003744629.tif 000005
【図５】
0003744629.tif 000006
【図６】
0003744629.tif 000007
【図７】
0003744629.tif 000008
【図８】
0003744629.tif 000009
【図９】
0003744629.tif 000010
【図１０】
0003744629.tif 000011
【図１１】
0003744629.tif 000012
【図１２】
0003744629.tif 000013
【図１３】
0003744629.tif 000014
【図１４】
0003744629.tif 000015
【図１５】
0003744629.tif 000016
【図１６】
0003744629.tif 000017
【図１７】
0003744629.tif 000018
【図１８】
0003744629.tif 000019
【図１９】
0003744629.tif 000020
【図２０】
0003744629.tif 000021
【図２１】
0003744629.tif 000022
【図２２】
0003744629.tif 000023
【図２３】
0003744629.tif 000024
【図２４】
0003744629.tif 000025
【図２５】
0003744629.tif 000026
【図２６】
0003744629.tif 000027
【図２７】
0003744629.tif 000028
【図２８】
0003744629.tif 000029
【図２９】
0003744629.tif 000030
【図３０】
0003744629.tif 000031
【図３１】
0003744629.tif 000032
【図３２】
0003744629.tif 000033
【図３３】
0003744629.tif 000034
【図３４】
0003744629.tif 000035
【図３５】
0003744629.tif 000036
【図３６】
0003744629.tif 000037
【図３７】
0003744629.tif 000038
【図３８】
0003744629.tif 000039
【図３９】
0003744629.tif 000040
【図４０】
0003744629.tif 000041
【図４１】
0003744629.tif 000042
【図４２】
0003744629.tif 000043
【図４３】
0003744629.tif 000044
【図４４】
0003744629.tif 000045
【図４５】
0003744629.tif 000046
【図４６】
0003744629.tif 000047
【図４７】
0003744629.tif 000048